(57)【要約】      （修正有）【課題】手首及び肩の筋肉の訓練を行う手首ボールを提供する。【解決手段】手首ボール１０は、ハウジング及び回転本体２０を備える。ハウジングは、第一カバー１１１、第二カバー１２１、少なくとも１つの支持部１１４及び少なくとも１つの緩衝部を備える。支持部１１４及び緩衝部は、第一カバー１１１と第二カバー１２１との間に設置される。支持部１１４の対向する両端は別々に第一カバー１１１及び第二カバー１２１に当接され、支持部１１４の剛性は緩衝部の剛性より大きい。緩衝部はレール及び緩衝体を有し、緩衝体の位置はレールに対応する。回転本体２０は、リング２００及びローター３００を備える。リング２００は、ハウジングの内部に位置し、且つ、レールにスライディング可能に設置される。ローター３００は、ボール３１０及びシャフト３２０を備え、ボール３１０はハウジングの内部に位置し、シャフト３２０はボール３１０を貫き、シャフト３２０の両端はリング２００に枢着する。【選択図】図２
0003205608.tif 000002
【実用新案登録請求の範囲】
【請求項１】
第一カバー、第二カバー、少なくとも１つの支持部及び少なくとも１つの緩衝部を備え、前記支持部及び前記緩衝部は、前記第一カバーと前記第二カバーとの間に設置され、前記支持部の対向する両端は別々に前記第一カバー及び前記第二カバーに当接され、前記支持部の剛性は、前記緩衝部の剛性より大きく、前記緩衝部は、レール及び緩衝体を有し、前記緩衝体の位置は、前記レールに対応するハウジングと、
リング及びローターを備え、前記リングは、前記ハウジングの内部に位置し且つ前記レールにスライディング可能に設置され、前記ローターは、ボール及びシャフトを備え、前記ボールは前記ハウジングの内部に位置し、前記シャフトは前記ボールを貫き、前記シャフトの両端は、前記リングに枢着する回転本体と、
を備えることを特徴とする手首ボール。
【請求項２】
前記第一カバーと前記支持部とは、一体成型され、
前記支持部の自由端は、前記第二カバーに当接する、
ことを特徴とする請求項１に記載の手首ボール。
【請求項３】
固定部材をさらに備え、
前記ハウジングは、固定部を有し、
前記固定部は、前記第二カバーに接続され且つ前記第一カバーに向かって伸び、
前記支持部は、第一固定孔を有し、
前記固定部は、第二固定孔を有し、
前記固定部材は、前記第一固定孔及び前記第二固定孔を貫く、
ことを特徴とする請求項１に記載の手首ボール。 
【請求項４】
前記緩衝部の数量は複数であり、
複数の前記緩衝部のレールは互いに接続され、
少なくとも１つの前記支持部は、複数の前記レールを横切る、
ことを特徴とする請求項１に記載の手首ボール。
【請求項５】
前記ハウジングは、第一接続部をさらに備え、
前記緩衝体は、第一緩衝構造を備え、
前記第一緩衝構造は、前記第一接続部によって前記第一カバーに接続され、
前記支持部と前記第一緩衝構造とは離間している、
ことを特徴とする請求項１に記載の手首ボール。
【請求項６】
前記第一接続部の幅は、前記第一緩衝構造の幅より小さく、
前記第一カバーと前記第一緩衝構造との間には第一スロットが形成される、
ことを特徴とする請求項５に記載の手首ボール。
【請求項７】
前記第一緩衝構造は、第一チャンネルを有し、
前記第一チャンネルと前記第一スロットとは交互に配列される、
ことを特徴とする請求項６に記載の手首ボール。
【請求項８】
前記第一チャンネルは、前記第一スロットに平行する、
ことを特徴とする請求項７に記載の手首ボール。
【請求項９】
前記緩衝体は、第二緩衝構造をさらに備え、
前記第一緩衝構造は、前記第二緩衝構造に着脱可能に接続される、
ことを特徴とする請求項５に記載の手首ボール。
【請求項１０】
前記レールは、前記第二緩衝構造に接続される、
ことを特徴とする請求項９に記載の手首ボール。
【請求項１１】
前記第一緩衝構造は、フックスロットを備え、
前記第二緩衝構造は、フックを備え、
前記フックは、前記フックスロットに係合する、
ことを特徴とする請求項９に記載の手首ボール。
【請求項１２】
前記第一緩衝構造は、第一チャンネルを有し、
前記第二緩衝構造は、第二チャンネルを有し、
前記第一チャンネル及び前記第二チャンネルの延伸方向は全て、前記レールの環状溝に平行する、
ことを特徴とする請求項９に記載の手首ボール。
【請求項１３】
前記レールは、内壁面及び環状溝を有し、
前記内壁面は、前記ローターに面し、
前記環状溝は、前記内壁面に位置し、
前記リングは、環状突起を有し、
前記環状突起は、前記環状溝にスライディング可能に設置される、
ことを特徴とする請求項１に記載の手首ボール。
【請求項１４】
前記ハウジングは、第一シェル及び第二シェルを備え、
前記緩衝部は、第一緩衝構造及び第二緩衝構造を備え、
前記第一シェルの辺縁には、第一レールを有し、
前記第一カバー及び前記第一緩衝構造は、前記第一シェルに位置し、
前記第二シェルの辺縁には、第二レールを有し、
前記第二カバー及び前記第二緩衝構造は、前記第二シェルに位置し、
前記第一シェルを前記第二シェルに装着して収容空間を形成し、
前記第一レール及び前記第二レールは、前記レールの前記環状溝を構成し、
前記リングと前記ローターは、前記収容空間の内部に位置する、
ことを特徴とする請求項１３に記載の手首ボール。
【請求項１５】
前記第一レールは、第一支持溝及び第一支持リングを備え、
前記第一支持リングは、前記第一支持溝に着脱可能に設置される、
ことを特徴とする請求項１４に記載の手首ボール。
【請求項１６】
前記第二レールは、第二支持溝及び第二支持リングを備え、
前記第二支持リングは、前記第二支持溝に着脱可能に設置される、
ことを特徴とする請求項１４に記載の手首ボール。
【請求項１７】
前記緩衝体の最大緩衝変位量は、前記ボールから前記ハウジングまでの距離より大きいか又は等しい、
ことを特徴とする請求項１に記載の手首ボール。
【考案の詳細な説明】
【技術分野】
【０００１】
本発明は、訓練装置に関するものであって、特に手首ボールに関する。
【背景技術】
【０００２】
一般的に手首訓練ボールはハウジング、リング及びローターを備える。ハウジングの内部にはレールが設置されており、リングはスライディング可能にレールに配置される。ローターは、ボール及びシャフトを備え、シャフトはボールを貫き、シャフトの両端は回転可能にリングに枢着する。手首訓練ボールは、ジャイロスコープの原理を利用するので、機械方式で手首訓練ボールを回転させてから、手のひらで手首訓練ボールを握ると、遠心力及び慣性力の作用によって強大な回転力が生じる。使用者はこの回転力を介して手首及び肩の筋肉に対して訓練を行う。
【０００３】
しかし、上述した手首訓練ボールにおいて、ボールはシャフト両端がリングに枢着することによりハウジングの内部に掛けられており、即ちボールの重量はただシャフトによって支持されるので、誤操作で手首訓練ボールが地面にドロップされた場合、シャフトはボールの重量及び自身高速回転の影響を受けて曲がって変形される。シャフトが曲がって変形されると、手首訓練ボールの元の構造及び位置の相対関係が改変されるので、手首訓練ボールにノイズ又は振動などの問題が発生して、ローターの回転を影響する。なお、使用者がハウジングをグリップ過ぎると、ハウジングは一時的に変形されて、ハウジング、リング及びローターがお互いに接触して、ローターの回転安定性を影響する。だから、手首訓練ボールが外力衝撃を受けるとシャフトが変形されるか、又は使用者が手首訓練ボールをグリップ過ぎるとハウジングが一時的に変形されて、手首訓練ボールが元の機能を失う問題が起こる。
【考案の概要】
【考案が解決しようとする課題】
【０００４】
本考案は、従来の技術に既存する問題を解決することができる手首ボールを提供する。
【課題を解決するための手段】
【０００５】
本考案に係わる手首ボールは、ハウジング及び回転本体を備える。ハウジングは、第一カバー、第二カバー、少なくとも１つの支持部及び少なくとも１つの緩衝部を備える。支持部及び緩衝部は、第一カバーと第二カバーとの間に設置される。支持部の対向する両端は、別々に第一カバー及び第二カバーに当接され、支持部の剛性は、緩衝部の剛性より大きい。緩衝部は、レール及び緩衝体を有し、緩衝体の位置は、レールに対応する。回転本体は、リング及びローターを備える。リングは、ハウジングの内部に位置し且つレールにスライディング可能に設置される。ローターは、ボール及びシャフトを備え、ボールはハウジングの内部に位置し、シャフトはボールを貫き、シャフトの両端はリングに枢着する。
【考案の効果】
【０００６】
従来の技術に比べて、本考案に係わる手首ボールにおいて、レールは緩衝部の弾性緩衝変形能力に基づいてシャフトを連動して、ボールがシャフトとともに移動することにして、衝撃応力が枢着部と支持部の交接箇所に集中することを免れる。だから、緩衝部の弾性緩衝変形能力によってシャフトが受ける衝撃力を分散して、シャフトの衝撃による湾曲を免れる。なお、並んで設置された支持部の剛性は緩衝部の剛性より大きいので、使用者が手首ボールをグリップしながらハウジングに外力を施す場合、支持部は第一カバー及び第二カバーを支持して、第一カバーと第二カバーとの間の間隔距離を維持する。従って使用者が手首ボールをグリップ過ぎてもハウジングは変形しなく、ボールの正常作動を維持することができる。
【図面の簡単な説明】
【０００７】
【図１】本考案の第一実施例に係る手首ボールの立体組立図である。
【図２】図１に示す手首ボールの立体分解図である。
【図３】図１に示す手首ボールのハウジングの正面図である。
【図４】図１に示す手首ボールの断面図である。
【図５】本考案の第二実施例に係る手首ボールの立体分解図である。
【図６】図５に示す手首ボールの立体組立図である。
【図７】本考案の第三実施例に係る手首ボールの断面図である。
【考案を実施するための形態】
【０００８】
図１〜図４を参照すると、図１は本考案の第一実施例に係る手首ボールの立体組立図であり、図２は図１に示す手首ボールの立体分解図であり、図３は図１に示す手首ボールのハウジングの正面図であり、図４は図１に示す手首ボールの断面図である。本考案に係わる手首ボール１０は、ハウジング１００及び回転本体２０を備え、回転本体２０はハウジング１００の内部に収容される。
【０００９】
ハウジング１００は、第一カバー１１１、第二カバー１２１、少なくとも１つの支持部１１４、少なくとも１つの緩衝部１４０、第一接続部１６０、第一レール１１３及び第二レール１２３を備える。支持部１１４及び緩衝部１４０は、第一カバー１１１と第二カバー１２１との間に設置される。支持部１１４の対向する両端は別々に、第一カバー１１１及び第二カバー１２１に当接され、支持部１１４の剛性は、緩衝部１４０の剛性より大きい。本実施例及び一部分の他の実施例において、支持部１１４の個数は３つであり、緩衝部１４０の個数も３つであり、各々の支持部１１４は隣り合う２つの緩衝部１４０の間に設置されるが、支持部１１４及び緩衝部１４０の個数は本考案の３つに限定されるものではない。
【００１０】
以下、ハウジング１００の構造に対して詳細に説明する。ハウジング１００は、第一シェル１１０及び第二シェル１２０を備える。本実施例において、緩衝部１４０は、第一緩衝構造１１２及び第二緩衝構造１２２を備える。第一カバー１１１、第一緩衝構造１１２、第一レール１１３及び支持部１１４は第一シェル１１０に位置し、第二カバー１２１、第二緩衝構造１２２及び第二レール１２３は第二シェル１２０に位置する。第一カバー１１１は第一シェル１１０の片側に位置し、第一レール１１３は第一シェル１１０の反対側の辺縁に位置する。同様に、第二カバー１２１は第二シェル１２０の片側に位置し、第二レール１２３は第二シェル１２０の反対側の辺縁に位置する。第一緩衝構造１１２は、第二緩衝構造１２２に着脱可能に接続される。第一シェル１１０を第二シェル１２０に装着して回転本体２０を収容するための収容空間１３０を形成する。
【００１１】
本考案において、「当接」とは１つの部品が接続する又は支える方式によって他の部品に接触することを意味する。本実施例及び一部分の他の実施例において、支持部１１４の対向する両端は別々に第一カバー１１１及び第二カバー１２１に当接する。支持部１１４は、自由端１１４ｂ及び固定端１１４ｃを有する。支持部１１４の固定端１１４ｃは第一カバー１１１に直接に接続され、すなわち支持部１１４と第一カバー１１１は一体成型される。支持部１１４の自由端１１４ｂは、第二カバー１２１に当接する。
【００１２】
本実施例及び一部分の他の実施例において、第一緩衝構造１１２はフックスロット１１２ｂを備え、第二緩衝構造１２２はフック１２２ｂを備え、第二緩衝構造１２２のフック１２２ｂは第一緩衝構造１１２のフックスロット１１２ｂに着脱可能に係合する。第一シェル１１０及び第二シェル１２０は、フック１２２ｂとフックスロット１１２ｂの配合によって着脱可能に互いに固定される。
【００１３】
図３を参照すると、本実施例及び一部分の他の実施例において、第一緩衝構造１１２は第一接続部１６０によって第一カバー１１１に接続され、支持部１１４と第一緩衝構造１１２とは離間している。第一接続部１６０の幅は第一緩衝構造１１２の幅より小さいため、第一カバー１１１と第一緩衝構造１１２との間には第一スロット１１５が形成される。第一スロット１１５及び第一接続部１６０によって第一緩衝構造１１２と第一カバー１１１は、第一距離Ｄ１ほど離間されている。第二シェル１２０は複数の第二接続部２６０を備え、第二緩衝構造１２２は第二接続部２６０によって第二カバー１２１に接続される。複数の第二スロット１２５は第二カバー１２１と第二緩衝構造１２２との間に形成されて、第二緩衝構造１２２と第二カバー１２１とは第二距離Ｄ２ほど離間されている。
【００１４】
本実施例及び一部分の他の実施例において、第一緩衝構造１１２は複数の第一チャンネル１１２ａを有し、第一チャンネル１１２ａと第一スロット１１５とは交互に配列される。第二緩衝構造１２２は複数の第二チャンネル１２２ａを有し、第二チャンネル１２２ａと第二スロット１２５とは交互に配列される。本実施例及び一部分の他の実施例において、第一チャンネル１１２ａ及び第二チャンネル１２２ａは第一スロット１１５及び第二スロット１２５に平行され、第一チャンネル１１２ａは第二チャンネル１２２ａに対応される。具体的に説明すると、本実施例及び一部分の他の実施例において、第一チャンネル１１２ａが第二チャンネル１２２ａに対応されるとは、レール１４１上の第一チャンネル１１２ａの投影位置とレール１４１上の対応する第二チャンネル１２２ａの投影位置は実質的に同じであることを意味する。
【００１５】
本実施例及び一部分の他の実施例において、手首ボール１０は固定部材５００をさらに備え、ハウジング１００は固定部１５０を有し、固定部１５０は第二カバー１２１に接続され且つ第一カバー１１１に向かって伸びる。支持部１１４は第一固定孔１１４ａを有し、固定部１５０は第二固定孔１５１を有し、固定部材５００は第一固定孔１４１ａ及び第二固定孔１５１を貫く。例えば、固定部材５００はねじであり、第一固定孔１４１ａ及び第二固定孔１５１にはねじ山が設けられている。固定部材５００が第一固定孔１４１ａ及び第二固定孔１５１に螺合すると、支持部１１４の両端が別々に第一カバー１１１及び第二カバー１２１に当接する固定効果を向上することができる。
【００１６】
以下、緩衝部１４０の構造に対して詳細に説明する。緩衝部１４０はレール１４１及び緩衝体１４２を備え、緩衝体１４２の位置はレール１４１に対応する。少なくとも１つの緩衝部１４０の数量は複数であり、複数の緩衝部１４０のレール１４１は互いに接続され、少なくとも１つの支持部１１４はレール１４１を横切る。本実施例及び一部分の他の実施例において、レール１４１は第二緩衝構造１２２に接続される。
【００１７】
本実施例において、各々の緩衝体１４２は上述した第一緩衝構造１１２及び第二緩衝構造１２２を備える。しかし、一部分の他の実施例において、緩衝体１４２はただ第一シェル１１０に位置する第一緩衝構造１１２を備えるだけで第二緩衝構造１２２を備えない。又、一部分の他の実施例において、緩衝体１４２はただ第二シェル１２０に位置する第二緩衝構造１２２を備えるだけで第一緩衝構造１１２を備えない。
【００１８】
詳細に説明すると、レール１４１は、収容空間１３０に面する内壁面１４３を有する。環状溝１４４は、内壁面１４３に位置する。
【００１９】
本実施例において、第一カバー１１１、第二カバー１２１及びレール１４１の材質は、例えば、プラスチックであるが、それに限定されるものではない。他の実施例において、第一カバー１１１、第二カバー１２１及びレール１４１の材質は金属である。
【００２０】
本実施例において、第一チャンネル１１２ａの左右両側の２つの側面の間の距離は、第一シェル１１０の外壁面１１６から内壁面１４３に至ってだんだん減少しているが、それに限定されるものではない。他の実施例において、第一チャンネル１１２ａの左右両側の２つの側面は互いに平行であるか又は第一チャンネル１１２ａの左右両側の２つの側面の間の距離は、第一シェル１１０の外壁面１１６から内壁面１４３に至ってだんだん増大している。同様に、第二チャンネル１２２ａの左右両側の２つの側面の間の距離は、第二シェル１２０の外壁面１１６から内壁面１４３に至ってだんだん減少している。
【００２１】
本実施例の第一レール１１３は、第一支持溝１１３ａ及び第一支持リング１１３ｂを備える。第一支持リング１１３ｂは、第一支持溝１１３ａに着脱可能に設置されて、第一レール１１３を構成する。本実施例の第二レール１２３は、第二支持溝１２３ａ及び第二支持リング１２３ｂを備える。第二支持リング１２３ｂは、第二支持溝１２３ａに着脱可能に設置されて第二レール１２３を構成する。
【００２２】
第一レール１１３及び第二レール１２３は、レール１４１の環状溝１４４を構成し、環状溝１４４はハウジング１００の内壁面１４３に環設され、第一チャンネル１１２ａと第二チャンネル１２２ａの延伸方向とは環状溝１４４に平行する。
【００２３】
回転本体２０は、リング２００及びローター３００を備える。リング２００及びローター３００は、収容空間１３０の内部に位置する。リング２００はレール１４１にスライディング可能に設置され、リング２００は環状突起２１０及び２つの枢着孔２２０を備える。環状突起２１０はリング２００の外壁面に位置し、環状突起２１０は、環状溝１４４にスライディング可能に設置される。２つの枢着孔２２０の位置は互いに対向する。ローター３００は、収容空間１３０の内部に位置する。ローター３００はボール３１０及びシャフト３２０を備え、ボール３１０はハウジング１００の内部に位置する。シャフト３２０は、支持部３２１及び２つの枢着部３２２を有する。支持部３２１は２つの枢着部３２２の間に接続され、枢着部３２２の軸半径は支持部３２１の軸半径より小さい。支持部３２１はボール３１０を貫く。２つの枢着部３２２は、ボール３１０から突出され且つ２つの枢着孔２２０に枢着する。
【００２４】
ハウジング１００の支持部１１４の剛性は、緩衝部１４０の剛性より大きいため、使用者が手首ボール１０をグリップしながらハウジング１００に外力を施す場合、支持部１１４は第一カバー１１１及び第二カバー１２１を支持して、第一カバー１１１と第二カバー１２１との間の間隔距離を維持する。したがって、使用者が手首ボール１０をグリップ過ぎてもハウジング１００は変形せず、ボール３１０の正常作動を維持することができる。
【００２５】
本実施例において、ハウジング１００は、第一スロット１１５、第二スロット１２５、第一チャンネル１１２ａ及び第二チャンネル１２２ａを有する。ハウジング１００に外力を施す場合、第一スロット１１５、第二スロット１２５、第一チャンネル１１２ａ及び第二チャンネル１２２ａは緩衝部１４０に変形可能空間を提供して、外力衝撃を吸収することができ、回転本体２０への外力伝達を減少する。
【００２６】
誤操作で手首ボール１０が地面にドロップされた場合、ハウジング１００は、衝撃力を受ける。第二シェル１２０に位置する第二カバー１２１を例とする。第二シェル１２０の第二カバー１２１が衝撃を受けて、衝撃力Ｆが第二緩衝構造１２２の変形初期力より大きいと、レール１４１は第二緩衝構造１２２の弾性緩衝変形能力に基づいてボール３１０及びシャフト３２０が一緒に第二カバー１２１に向かって移動する。
【００２７】
詳細に説明すると、手首ボール１０の衝撃過程は、大体２つの段階に分けられる。第一段階はボール３１０がまだハウジング１００に接触しなかったとき、レール１４１は第二緩衝構造１２２の弾性緩衝変形能力に基づいてシャフト３２０を連動して、ボール３１０がシャフト３２０とともに移動して、衝撃応力が枢着部３２２と支持部３２１との交接箇所に集中することを免れる。そのため、この段階では、第二緩衝構造１２２の弾性緩衝変形能力によってシャフト３２０が受ける衝撃力を分散して、シャフト３２０の湾曲程度を減少する。
【００２８】
第二段階ではボール３１０がハウジング１００に接触したとき、ハウジング１００はボール３１０の重量を補助的に支持することにより、シャフト３２０が受ける径方向外力を低減して、シャフト３２０の湾曲又は断裂を免れることができる。
【００２９】
第一レール１１３及び第二レール１２３は組合式構造であり、第一レール１１３及び第二レール１２３からなる環状溝１４４がシャフト３２０の摩擦又は大きな衝撃を受けて摩損された場合、使用者は新しい第一支持リング１１３ｂ及び第二支持リング１２３ｂで摩損された第一支持リング１１３ｂ及び第二支持リング１２３ｂを取り替えることができ、新しい手首ボール１０を買うことは必要なくなる。
【００３０】
図５及び図６を参照すると、図５は本考案の第二実施例に係る手首ボールの立体分解図であり、図６は図５に示す手首ボールの立体組立図である。本実施例の手首ボール１０は、さらに保護リング４００を備える。保護リング４００は、ハウジング１００の緩衝部１４０を囲むように、かつ、着脱可能に設けられる。保護リング４００は、緩衝部１４０を保護して、緩衝部１４０が外界に暴露しないようにする。保護リング４００の材質はプラスチックであることができ、ハウジング１００より大きい摩擦係数を有する。使用者が保護リング４００をグリップする場合、快適な使用感覚を感じることができ、グリップし易く、誤操作で手首ボール１０が地面にドロップされないようにする。
【００３１】
図７は、本考案の第三実施例に係る手首ボールの断面図である。本実施例において、手首ボール１０はさらにセンサー６００を備え、センサー６００は第二シェル１２０の開口１２６に設置される。詳細に説明すると、センサー６００はフック６１０を備え、センサー６００は第二シェル１２０の開口１２６に着脱可能に係合する。センサー６００はボール３１０の回転速度を測量するために用いられ、且つその情報を表示するか又は他の電子装置に伝送する。
【００３２】
本考案に係わる手首ボールにおいて、レールは緩衝部の弾性緩衝変形能力に基づいてシャフトを連動して、ボールがシャフトとともに移動して、衝撃応力が枢着部と支持部との交接箇所に集中することを免れる。そのため、緩衝部の弾性緩衝変形能力によってシャフトが受ける衝撃力を分散して、シャフトの衝撃による湾曲を免れる。なお、並んで設置された支持部の剛性は緩衝部の剛性より大きいため、使用者が手首ボールをグリップしながらハウジングに外力を施す場合、支持部は第一カバー及び第二カバーを支持して、第一カバーと第二カバーとの間の間隔距離を維持する。したがって使用者が手首ボールをグリップ過ぎてもハウジングは変形せず、ボールの正常作動を維持することができる。
【００３３】
ボールがハウジングに接触したとき、ハウジングによってボールの重量を補助的に支持することにより、シャフトが受ける衝撃力を低減する。そのため、ハウジングの緩衝部によって、ハウジングは、シャフトが受ける衝撃応力を共に受ける。
【００３４】
以上実施例に基づいて本考案を具体的に説明したが、本考案は上述の実施例に限定されるものではなく、その要旨を逸脱しない限り、添付の特許請求の範囲の精神及び範囲内に含まれる種々の変更や類似の構成は、すべて最も広い解釈によって本考案の保護範囲内に含まれる。
【符号の説明】
【００３５】
１０  手首ボール
２０  回転本体
１００  ハウジング
１１０  第一シェル
１１１  第一カバー
１１２  第一緩衝構造
１１２ａ  第一チャンネル
１１２ｂ  フックスロット
１１３  第一レール
１１３ａ  第一支持溝
１１３ｂ  第一支持リング
１１４  支持部
１１４ａ  第一固定孔
１１４ｂ  自由端
１１４ｃ  固定端  
１１５  第一スロット
１１６  外壁面
１２０  第二シェル
１２１  第二カバー
１２２  第二緩衝構造
１２２ａ  第二チャンネル
１２２ｂ  フック
１２３  第二レール
１２３ａ  第二支持溝
１２３ｂ  第二支持リング
１２５  第二スロット
１２６  開口
１３０  収容空間
１４０  緩衝部
１４１  レール
１４２  緩衝体
１４３  内壁面
１４４  環状溝
１５０  固定部
１５１  第二固定孔
１６０  第一接続部
２００  リング
２１０  環状突起
２２０  枢着孔
３００  ローター
３１０  ボール
３２０  シャフト
３２１  支持部
３２２  枢着部
４００  保護リング
５００  固定部材
６００  センサー
６１０  フック
Ｄ１  第一距離
Ｄ２  第二距離
【図１】
0003205608.tif 000003
【図２】
0003205608.tif 000004
【図３】
0003205608.tif 000005
【図４】
0003205608.tif 000006
【図５】
0003205608.tif 000007
【図６】
0003205608.tif 000008
【図７】
0003205608.tif 000009